(57)【要約】【課題】血糖測定装置等の対象装置の構成を複雑化することなく、また、その装置の操作に影響を及ぼすことなく、その時刻情報等の誤差等を簡易且つ精度良く修正等することができる情報管理装置、情報管理方法、生体情報取得装置及び生体情報管理システムを提供すること。【解決手段】対象装置５０の時刻情報と、自己の対応特定時刻情報とに基き基準時刻差分情報２７を生成し、時刻変更情報を修正すべき情報か否かを判断する変更内容判断情報２８を有し、時刻変更情報２３の変更実施時刻情報と、対応特定時刻情報との間の基本情報２２の時刻情報、若しくは、複数の時刻変更情報の変更実施時刻情報間の基本情報の時刻情報を、基準時刻差分情報、若しくは基準時刻差分情報及び時刻変更情報の変更時間情報に基づいて修正し、その結果を表示する情報管理装置１０。【選択図】図６
2010233696.tif 000002
【特許請求の範囲】
【請求項１】
対象装置の時刻情報を伴う基本情報、前記対象装置の計時装置の時刻情報を時刻修正装置で変更した時刻変更情報、その時刻変更情報の変更時間情報及び前記対象装置の計時装置の特定の時刻情報を取得する対象装置情報取得部と、
前記時刻情報を伴う基本情報を格納する基本情報格納部と、
前記時刻変更情報及びその時刻変更情報の変更実施時刻情報を格納する時刻変更情報等格納部と、
前記対象装置の計時装置の特定の時刻情報と、前記特定の時刻情報と同一タイミングで取得した自己の計時装置の対応特定時刻情報とに基づいて基準時刻差分情報を生成する基準時刻差分情報生成部と、
前記時刻変更情報の変更内容を判断するための変更内容判断情報を格納する変更内容判断情報格納部と、
前記時刻変更情報を前記変更内容判断情報に基づいて修正すべき情報か否かを判断する修正必要性判断部と、
前記修正必要性判断部で修正すべき情報と判断された前記時刻変更情報の変更実施時刻情報と、前記対応特定時刻情報との間の前記基本情報の時刻情報、若しくは、複数の前記時刻変更情報の変更実施時刻情報間の前記基本情報の時刻情報を、前記基準時刻差分情報、若しくは前記基準時刻差分情報及び前記時刻変更情報の変更時間情報に基づいて修正する時刻修正部と、
前記修正必要性判断部で修正すべき情報と判断された前記時刻変更情報の存否情報及び／又は前記時刻修正部で修正された前記基本情報の時刻情報の存否情報を表示する表示部と、を有することを特徴とする情報管理装置。
【請求項２】
前記時刻修正部は、前記修正必要性判断部で修正すべきと判断された前記時刻変更情報が存在しない場合、全ての前記基本情報の時刻情報を前記基準時刻差分情報で修正することを特徴とする請求項１に記載の情報管理装置。
【請求項３】
対象装置の時刻情報を伴う基本情報、前記対象装置の計時装置の時刻情報を時刻修正装置で変更した時刻変更情報、その時刻変更情報の変更時間情報及び前記対象装置の計時装置の特定の時刻情報を対象装置情報取得部が取得する工程と
前記基本情報取得部を基本情報格納部に格納すると共に、前記時刻変更情報及びその時刻変更情報の変更実施時刻情報を時刻変更情報等格納部に格納する工程と、
前記対象装置の計時装置の特定の時刻情報と、前記特定の時刻情報と同一タイミングで取得した自己の計時装置の対応特定時刻情報とに基づいて基準時刻差分情報生成部が基準時刻差分情報を生成する工程と、
前記時刻変更情報の変更内容を判断するための変更内容判断情報に基づいて、修正必要性判断部が前記時刻変更情報を修正すべき情報か否かを判断する工程と、
前記修正必要性判断部で修正すべき情報と判断された前記時刻変更情報の変更実施時刻情報のうち最も前記対応時刻情報に近接する前記時刻変更情報の変更実施時刻情報と、前記対応特定時刻情報との間の前記基本情報の時刻情報を、前記基準時刻差分情報に基づいて、時刻修正部が修正する工程と、
前記修正必要性判断部で修正すべき情報と判断された前記時刻変更情報の変更実施時刻情報のうち次に前記対応時刻情報に近接する前記時刻変更情報の変更実施時刻情報と、前記最も前記対応時刻情報に近接する前記時刻変更情報の変更実施時刻情報と、の間の前記基本情報の時刻情報を、前記最も前記対応時刻情報に近接する前記時刻変更情報の変更時間情報及び前記基準時刻差分情報に基づいて前記時刻修正部が修正する工程と、
前記修正必要性判断部で修正すべきと判断された前記時刻変更情報の存否情報及び／又は前記時刻修正部で修正された前記基本情報の時刻情報の存否情報を表示部に表示する工程と、を有することを特徴とする情報管理方法。
【請求項４】
前記時刻修正部は、前記修正必要性判断部で修正すべき情報と判断された前記時刻変更情報が存在しない場合、全ての前記基本情報の時刻情報を前記基準時刻差分情報で修正することを特徴とする請求項３に記載の情報管理方法。
【請求項５】
生体情報の検出機能を有し、生体または生体由来物質から生体情報を取得する測定部と、
情報を表示する測定装置表示部と、
測定装置時計と、
前記測定装置時計の時刻を修正する測定装置時刻修正部と、
他の装置と通信するための通信部と、を有する生体情報取得装置であって、
前記測定装置時刻修正部の操作が開始された時の前記測定装置時計の時刻と、前記測定装置時計修正部の操作が終了した時の前記測定装置時計の時刻から生成される測定装置時計変更情報を記憶する時計差分部を有することを特徴とする生体情報取得装置。
【請求項６】
生体情報の検出機能を有し、生体または生体由来物質から生体情報を取得する測定部と、
情報を表示する測定装置表示部と、
測定装置時計と、
前記測定装置時計の時刻を修正する測定装置時刻修正部と、
他の装置と通信するための通信部と、を有する生体情報取得装置と、
前記生体情報取得装置の時刻情報を伴う基本情報、前記生体情報取得装置の前記測定装置時計の時刻情報を前記測定装置時刻修正部で変更した時刻変更情報、その時刻変更情報の変更時間情報及び前記生体情報取得装置の前記測定装置時計の特定の時刻情報を取得する対象装置情報取得部と、を有する情報管理装置と、を備える生体情報管理システムであって、
前記生体情報取得装置は、前記測定装置時刻修正部の操作が開始された時の前記測定装置時計の時刻と、前記測定装置時計修正部の操作が終了した時の前記測定装置時計の時刻から生成される測定装置時計変更情報を記憶する時計差分部を有し、
前記情報管理装置は、前記時刻情報を伴う基本情報を格納する基本情報格納部と、
前記時刻変更情報及びその時刻変更情報の変更実施時刻情報を格納する時刻変更情報等格納部と、
前記測定装置時計の特定の時刻情報と、前記特定の時刻情報と同一タイミングで取得した自己の計時装置の対応特定時刻情報とに基づいて基準時刻差分情報を生成する基準時刻差分情報生成部と、
前記時刻変更情報の変更内容を判断するための変更内容判断情報を格納する変更内容判断情報格納部と、
前記時刻変更情報を前記変更内容判断情報に基づいて修正すべき情報か否かを判断する修正必要性判断部と、
前記修正必要性判断部で修正すべき情報と判断された前記時刻変更情報の変更実施時刻情報と、前記対応特定時刻情報との間の前記基本情報の時刻情報、若しくは、複数の前記時刻変更情報の変更実施時刻情報間の前記基本情報の時刻情報を、前記基準時刻差分情報、若しくは前記基準時刻差分情報及び前記時刻変更情報の変更時間情報に基づいて修正する時刻修正部と、
前記修正必要性判断部で修正すべき情報と判断された前記時刻変更情報の存否情報及び／又は前記時刻修正部で修正された前記基本情報の時刻情報の存否情報を表示する表示部と、を有することを特徴とする生体情報管理システム。
【発明の詳細な説明】
【技術分野】
【０００１】
本発明は、血糖測定装置等の他の装置から取得した基本情報の計時情報を管理するための情報管理装置、情報管理方法、生体情報取得装置及び生体情報管理システムに関するものである。
【背景技術】
【０００２】
従来より、血糖測定装置等の機器は、内部に時計を有しており、測定が終わると、時計の時刻情報を参照し、この時刻を測定データと関連付けて、登録する機能を有している。そして、血糖測定装置の使用者は、かかる測定データが蓄積した状態で、当該血糖測定器を持って、病院等に行き、担当する医師等にかかる蓄積した測定データを提供することなる。
このとき、医師側は、血糖測定装置内に蓄積された測定時刻を伴う測定データを、コンピュータ等の情報管理装置に取り込み、測定時刻と測定データから病気等を診断することになる。
一方、血糖測定装置は、その内部に時計を有しているが、その精度はそれほど高くなく、時刻に誤差が生じる場合がある。そのため、血糖測定装置は、この誤差を修正するための時刻修正装置を有している。
しかし、この血糖測定装置の使用者は老人等が多いため、この時刻修正装置を誤って操作する場合があり、この場合、折角測定した測定データが誤ったデータとなり、ひいては、医師等が診断を誤る等の問題があった。
【０００３】
一般に測定装置の時刻に誤差等が生じた場合、他の装置の精度の高い時刻データに基づいて、自動的に修正等することが行われている（例えば、特許文献１等）。
【先行技術文献】
【特許文献】
【０００４】
【特許文献１】特開２００３−２６５４１９号公報（図１等）
【発明の概要】
【発明が解決しようとする課題】
【０００５】
しかし、血糖測定装置等は、使用者が廉価に利用できることが重要であり、常時、他の装置と通信して、精度の高い時刻情報を取得する構成とすると構成が複雑化し、極めて高価なものとなってしまうという問題がある。
また、病院等で血糖測定装置等を情報管理装置と接続している際に、情報管理装置の精度の高い時刻情報に基づいて、血糖測定装置の時計の誤差を自動的に修正しようとすると、医療機器である血糖測定装置等の操作に影響を及ぼすという問題もあった。
【０００６】
そこで、血糖測定装置等の対象装置の構成を複雑化することなく、また、その装置の操作に影響を及ぼすことなく、その時刻情報等の誤差等を簡易且つ精度良く修正等することができる情報管理装置、情報管理方法、生体情報取得装置及び生体情報管理システムを提供することを目的とする。
【課題を解決するための手段】
【０００７】
前記課題は、本発明によれば、対象装置の時刻情報を伴う基本情報、前記対象装置の計時装置の時刻情報を時刻修正装置で変更した時刻変更情報、その時刻変更情報の変更時間情報及び前記対象装置の計時装置の特定の時刻情報を取得する対象装置情報取得部と、前記時刻情報を伴う基本情報を格納する基本情報格納部と、前記時刻変更情報及びその時刻変更情報の変更実施時刻情報を格納する時刻変更情報等格納部と、前記対象装置の計時装置の特定の時刻情報と、前記特定の時刻情報と同一タイミングで取得した自己の計時装置の対応特定時刻情報とに基づいて基準時刻差分情報を生成する基準時刻差分情報生成部と、前記時刻変更情報の変更内容を判断するための変更内容判断情報を格納する変更内容判断情報格納部と、前記時刻変更情報を前記変更内容判断情報に基づいて修正すべき情報か否かを判断する修正必要性判断部と、前記修正必要性判断部で修正すべき情報と判断された前記時刻変更情報の変更実施時刻情報と、前記対応特定時刻情報との間の前記基本情報の時刻情報、若しくは、複数の前記時刻変更情報の変更実施時刻情報間の前記基本情報の時刻情報を、前記基準時刻差分情報、若しくは前記基準時刻差分情報及び前記時刻変更情報の変更時間情報に基づいて修正する時刻修正部と、前記修正必要性判断部で修正すべき情報と判断された前記時刻変更情報の存否情報及び／又は前記時刻修正部で修正された前記基本情報の時刻情報の存否情報を表示する表示部と、を有することを特徴とする情報管理装置により達成される。
【０００８】
前記構成によれば、対象装置の計時装置の時刻情報を時刻修正装置で変更した時刻変更情報、その時刻変更情報の変更時間情報を対象装置から取得するので、例えば、対象装置の計時装置が誤って変更された時間及びその時刻等を正確に知ることができる。
また、対象装置の計時装置の特定の時刻情報と、この特定の時刻情報と同一タイミングで取得した自己の計時装置の対応特定時刻情報に基づいて基準時刻差分情報を生成する基準時刻差分情報生成部を有しているので、この対応特定時刻における対象装置の計時装置と自己の計時装置との差分時間である基準時刻差分情報を取得することができる。
このため、この対応特定時刻、例えば直近における両者の時間差（基準時刻差分情報）を正確に把握できる。
さらに、時刻変更情報を変更内容判断情報に基づいて修正すべき情報か否かを判断する修正必要性判断部と、修正必要性判断部で修正すべき情報と判断された時刻変更情報の変更実施時刻情報と、対応特定時刻情報との間の基本情報の時刻情報、若しくは、複数の時刻変更情報の変更実施時刻情報間の基本情報の時刻情報を、基準時刻差分情報、若しくは基準時刻差分情報及び時刻変更情報の変更時間情報に基づいて修正する時刻修正部とを有している。
このため、例えば、直近（基準時刻差分情報）から最も近接した時間変更情報（例えば、使用者が計時装置の修正装置を操作して時間を１年誤って進めた等）の変更実施時刻情報と、直近との間の基本情報の時間情報（例えば、測定データの測定時刻等）は、直近の上記両者の時間差（基準時間差分情報、例えば、１年１ヶ月１時間等）で、修正すれば足りることとなる。
【０００９】
また、例えば、直近（基準時刻差分情報）から次いで近接した時間変更情報（例えば、時間を１ヶ月進めた等）の変更実施時刻情報と、上記最も近接した時間変更情報の変更時刻情報との間の基本情報の時間情報は、直近の上記両者の時間差（例えば、１年１ヶ月１時間）から最も近接した時間変更情報の変更時刻情報（例えば、１年）を差し引いた時間（1ヶ月１時間）で修正すれば足りることになる。
このように、基準時間差分情報で両者の時間がずれているときは、例えば、時間変更情報の変更実施時刻情報を遡れば、誤って時刻を変更したタイミングとその変更前後の差分時間を時把握することができ、これを把握することで時刻修正部は簡易且つ適切に、基本情報の時刻修正をすることができる。
したがって、人手によらず自動的に修正されるので、基本情報の信頼性が向上し、人手による場合より遥かに効率的となる。
【００１０】
また、このとき、修正は対象装置に対して実行されないため、対象装置の操作に影響を及ぼすことがない。したがって、対象装置の構成を複雑化することもなく、情報管理装置の基本情報の時刻情報の誤差を簡易且つ精度良く修正等することができる。
また、前記構成では、対象とする時刻変更情報を選択し、修正すべき情報と判断された時刻変更情報のみを基準として処理を実施する構成となっており、すべての時刻変更情報を基準とするものではない。このため対象とする時刻変更情報は、その処理の目的に応じて選択可能となっている。
例えば、或る処理の目的では、時刻に１日以上の誤差がなければ、基本的に有用である場合、いたずらに数分等の誤差を修正等する必要がなく、この適当な誤差に該当する時刻変更情報を選択することができる。このように、時刻変更情報を選択することができることで、余分な動作等を情報管理装置に強いることがなく、極めて、合理的且つ効果的に時刻修正を行うことができる。
【００１１】
また、前記構成では、修正必要性判断部で修正すべき情報と判断された時刻変更情報の存否情報及び／又は時刻修正部で修正された基本情報の時刻情報の存否情報を表示する表示部と、を有する。
このため、対象装置の時刻修正に誤り等があったことを利用者に通知することができ、操作方法の指導等を促すことになる。
【００１２】
好ましくは、前記時刻修正部は、前記修正必要性判断部で修正すべきと判断された前記時刻変更情報が存在しない場合、全ての前記基本情報の時刻情報を前記基準時刻差分情報で修正することを特徴とする情報管理装置である。
【００１３】
前記構成によれば、時刻修正部は、修正必要性判断部で修正すべき情報と判断された時刻変更情報が存在しない場合、全ての基本情報の時刻情報を基準時刻差分情報で修正する。
修正必要性判断部で修正すべき情報と判断された時刻変更情報が存在しない場合は、対象とする期間中において、対象装置に大きな時刻修正等が無かったこと、すなわち、時刻修正装置の操作の間違い等がなかった可能性が高いことになる。
このため、全ての基本情報の時刻情報を基準時刻差分情報で一括に修正することで、迅速且つ合理的な時刻修正を可能としている。
【００１４】
前記課題は、本発明によれば、対象装置の時刻情報を伴う基本情報、前記対象装置の計時装置の時刻情報を時刻修正装置で変更した時刻変更情報、その時刻変更情報の変更時間情報及び前記対象装置の計時装置の特定の時刻情報を対象装置情報取得部が取得する工程と、前記基本情報取得部を基本情報格納部に格納すると共に、前記時刻変更情報及びその時刻変更情報の変更実施時刻情報を時刻変更情報等格納部に格納する工程と、前記対象装置の計時装置の特定の時刻情報と、前記特定の時刻情報と同一タイミングで取得した自己の計時装置の対応特定時刻情報とに基づいて基準時刻差分情報生成部が基準時刻差分情報を生成する工程と、前記時刻変更情報の変更内容を判断するための変更内容判断情報に基づいて、修正必要性判断部が前記時刻変更情報を修正すべき情報か否かを判断する工程と、前記修正必要性判断部で修正すべき情報と判断された前記時刻変更情報の変更実施時刻情報のうち最も前記対応時刻情報に近接する前記時刻変更情報の変更実施時刻情報と、前記対応特定時刻情報との間の前記基本情報の時刻情報を、前記基準時刻差分情報に基づいて、時刻修正部が修正する工程と、前記修正必要性判断部で修正すべき情報と判断された前記時刻変更情報の変更実施時刻情報のうち次に前記対応時刻情報に近接する前記時刻変更情報の変更実施時刻情報と、前記最も前記対応時刻情報に近接する前記時刻変更情報の変更実施時刻情報と、の間の前記基本情報の時刻情報を、前記最も前記対応時刻情報に近接する前記時刻変更情報の変更時間情報及び前記基準時刻差分情報に基づいて前記時刻修正部が修正する工程と、前記修正必要性判断部で修正すべきと判断された前記時刻変更情報の存否情報及び／又は前記時刻修正部で修正された前記基本情報の時刻情報の存否情報を表示部に表示する工程と、を有することを特徴とする情報管理方法により達成される。
【００１５】
好ましくは、前記時刻修正部は、前記修正必要性判断部で修正すべき情報と判断された前記時刻変更情報が存在しない場合、全ての前記基本情報の時刻情報を前記基準時刻差分情報で修正することを特徴とする情報管理方法である。
【００１６】
前記課題は、本発明によれば、生体情報の検出機能を有し、生体または生体由来物質から生体情報を取得する測定部と、情報を表示する測定装置表示部と、測定装置時計と、前記測定装置時計の時刻を修正する測定装置時刻修正部と、他の装置と通信するための通信部と、を有する生体情報取得装置であって、前記測定装置時刻修正部の操作が開始された時の前記測定装置時計の時刻と、前記測定装置時計修正部の操作が終了した時の前記測定装置時計の時刻から生成される測定装置時計変更情報を記憶する時計差分部を有することを特徴とする生体情報取得装置により達成される。
【００１７】
前記構成によれば、測定装置時刻修正部の操作が開始された時の前記測定装置時計の時刻と、前記測定装置時計修正部の操作が終了した時の前記測定装置時計の時刻から生成される測定装置時計変更情報を記憶する時計差分部を有するので、より正確な時刻差分等を把握することができる。
【００１８】
前記課題は、本発明によれば、生体情報の検出機能を有し、生体または生体由来物質から生体情報を取得する測定部と、情報を表示する測定装置表示部と、測定装置時計と、前記測定装置時計の時刻を修正する測定装置時刻修正部と、他の装置と通信するための通信部と、を有する生体情報取得装置と、前記生体情報取得装置の時刻情報を伴う基本情報、前記生体情報取得装置の前記測定装置時計の時刻情報を前記測定装置時刻修正部で変更した時刻変更情報、その時刻変更情報の変更時間情報及び前記生体情報取得装置の前記測定装置時計の特定の時刻情報を取得する対象装置情報取得部と、を有する情報管理装置と、を備える生体情報管理システムであって、前記生体情報取得装置は、前記測定装置時刻修正部の操作が開始された時の前記測定装置時計の時刻と、前記測定装置時計修正部の操作が終了した時の前記測定装置時計の時刻から生成される測定装置時計変更情報を記憶する時計差分部を有し、前記情報管理装置は、前記時刻情報を伴う基本情報を格納する基本情報格納部と、前記時刻変更情報及びその時刻変更情報の変更実施時刻情報を格納する時刻変更情報等格納部と、前記測定装置時計の特定の時刻情報と、前記特定の時刻情報と同一タイミングで取得した自己の計時装置の対応特定時刻情報とに基づいて基準時刻差分情報を生成する基準時刻差分情報生成部と、前記時刻変更情報の変更内容を判断するための変更内容判断情報を格納する変更内容判断情報格納部と、前記時刻変更情報を前記変更内容判断情報に基づいて修正すべき情報か否かを判断する修正必要性判断部と、前記修正必要性判断部で修正すべき情報と判断された前記時刻変更情報の変更実施時刻情報と、前記対応特定時刻情報との間の前記基本情報の時刻情報、若しくは、複数の前記時刻変更情報の変更実施時刻情報間の前記基本情報の時刻情報を、前記基準時刻差分情報、若しくは前記基準時刻差分情報及び前記時刻変更情報の変更時間情報に基づいて修正する時刻修正部と、前記修正必要性判断部で修正すべき情報と判断された前記時刻変更情報の存否情報及び／又は前記時刻修正部で修正された前記基本情報の時刻情報の存否情報を表示する表示部と、を有することを特徴とする生体情報管理システムにより達成される。
【発明の効果】
【００１９】
本発明は、血糖測定装置等の対象装置の構成を複雑化することなく、また、その装置の操作に影響を及ぼすことなく、その時刻情報等の誤差等を簡易且つ精度良く修正等することができる情報管理装置、情報管理方法、生体情報取得装置及び生体情報管理システムを提供することができるという利点がある。
【図面の簡単な説明】
【００２０】
【図１】本発明に係る情報管理装置を適用した実施の形態に係る生体情報管理システムを示す概略図である。
【図２】図１の情報管理装置の主なハードウエア構成等を示す概略図である。
【図３】携帯用血糖測定装置の主な構成を示す概略ブロック図である。
【図４】情報管理装置の主な構成を示す概略ブロック図である。
【図５】本実施の形態にかかる生体情報管理システムの携帯用血糖測定装置の主な動作等を示す概略フローチャートである。
【図６】本実施の形態にかかる生体情報管理システムの情報管理装置の主な動作等を示す概略フローチャートである。
【図７】本実施の形態にかかる生体情報管理システムの情報管理装置の主な動作等を示す他の概略フローチャートである。
【図８】血糖測定装置側時刻付血糖測定データの内容を示す概略図である。
【図９】血糖測定装置側時計変更ログデータの内容を示す概略図である。
【図１０】情報管理装置側時刻付血糖値測定データの一例を示す概略図である。
【図１１】情報管理装置側時計変更ログデータの一例を示す概略図である。
【図１２】時刻の修正の具体例の説明図である。
【図１３】図１２に示す時刻修正過誤の例を、本実施の形態を用いて修正した状態を示す説明図である。
【発明を実施するための形態】
【００２１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２２】
図１は、本発明に係る情報管理装置を適用した実施の形態に係る生体情報管理システム１を示す概略図である。図１においてコンピュータ等から成る情報管理装置１０は、対象装置及び生体情報取得装置である例えば携帯用血糖測定装置５０とケーブル２等を介して通信可能な構成となっている。
すなわち、利用者は、図１の携帯用血糖測定装置５０のみを自宅等に持ち込み、自宅で必要に応じて生体情報である例えば、血糖値の測定を行うことができるようになっている。
一方、情報管理装置１０は、病院等に配置され、医師等が操作可能な状態に置かれることになる。
この状態で、利用者が自宅等で携帯用血糖測定装置５０を使用して、複数回、血糖測定を行った後、利用者は、この血糖測定装置５０を持って病院に行き、診察等を受けることになる。このとき、持ち込まれた血糖測定装置５０は、図１に示すように、ケーブル２等で情報管理装置１０に接続され、血糖測定装置５０内のデータが情報管理装置１０内に取り込まれることになる。
【００２３】
そして、取り込まれた血糖測定データは、医師等がキーボード等の入力手段１１を操作することで、表示部である情報管理装置側ディスプレイ１２に表示される構成となっている。
一方、携帯用血糖測定装置５０にも、データを表示する血糖測定装置側ディスプレイ５１が形成されている。
なお、情報管理装置側ディスプレイ１２に表示される血糖測定データは、後述するように、血糖測定値の測定データと、その測定時刻であり、これらは、相互に関連付けて表示される。
【００２４】
図２は、図１の情報管理装置１０の主なハードウエア構成等を示す概略図である。図２に示すように情報管理装置１０は、コンピュータ等から成っているため、コンピュータは、ＣＰＵ（Ｃｅｎｔｒａｌ  Ｐｒｏｃｅｓｓｉｎｇ  Ｕｎｉｔ）１３、ＲＡＭ（Ｒａｎｄｏｍ  Ａｃｃｅｓｓ  Ｍｅｍｏｒｙ）１４、ＲＯＭ（Ｒｅａｄ  Ｏｎｌｙ  Ｍｅｍｏｒｙ）１５、ハードディスク１６等を有し、これらはバス１７を介して配置されている。
ところで、バス１７は、すべてのデバイスを接続する機能を有し、アドレスやデータパスを有する内部パスである。ＣＰＵ１３は所定のプログラムの処理を行う他、バス１７に接続されたＲＯＭ１５等を制御している。ＲＯＭ１５は、各種プログラムや各種情報等を格納している。ＲＡＭ１４は、プログラム処理中のメモリの内容を対比したり、プログラムを実行するためのエリアとしての機能を有する。
また、このバス１７には、図２に示すように、図１の携帯用血糖測定装置５０と通信するための情報管理装置側通信装置１８や計時装置である情報管理装置側時計１９も接続されている。
【００２５】
図３は、携帯用血糖測定装置５０の主な構成を示す概略ブロック図である。図３に示すように、携帯用血糖測定装置５０は、血糖測定装置側制御部６１を介して、実際に採血された血液中の血糖値を測定する血糖測定装置本体２０、測定装置表示部である例えば、血糖測定装置側ディスプレイ５１、計時装置及び測定装置時計である血糖測定装置側時計５３が接続されている。また、この血糖測定装置側時計５３の時刻を修正するための測定装置時刻修正部である例えば、時刻修正装置５４や図１の情報管理装置１０と通信するための通信部である例えば、血糖測定装置側通信装置５５も接続されている。図３に示す携帯用血糖測定装置５０の主なソフトウエア構成については後述する。
すなわち、血糖測定装置本体２０が、生体情報の検出機能を有し、生体または生体由来物質から生体情報を取得する測定部の一例となっている。
【００２６】
図４は、情報管理装置１０の主な構成を示す概略ブロック図であり、情報管理装置側制御部２０を介して、図２で示した情報管理装置側ディスプレイ１２、入力装置１１、情報管理装置側通信装置１８及び情報管理装置側時計１９等が接続されている。図４に示す情報管理装置１０の主なソフトウエア構成については後述する。
なお、情報管理装置側時計１９は、図３の血糖測定装置側時計５３よりも高精度な時計なっている。
図５は、本実施の形態にかかる生体情報管理システム１の携帯用血糖測定装置５０の主な動作等を示す概略フローチャートである。
図６及び図７は、本実施の形態にかかる生体情報管理システム１の情報管理装置１０の主な動作等を示す概略フローチャートである。
以下、図５乃至図７のフローチャートに沿って、生体情報管理システム１の動作等を説明しながら図３及び図４のソフトウエア構成等について説明する。
【００２７】
先ず、図５のフローチャートを説明する。
図１の携帯用血糖測定装置５０を自宅等で使用する際、携帯用血糖測定装置５０は、図５のＳＴ１に示すように、血糖測定データを取得したか否かを判断する。具体的には、図３の血糖測定データ登録プログラム５６が動作し、図３の血糖測定装置本体５２が採血後、その血糖値データを取得したか否かを判断する。
そして、ＳＴ１で、血糖測定データを取得したと判断した場合は、ＳＴ２で、血糖測定データを取得したタイミングにおける血糖測定装置側時計５３の時刻データを参照し、これと関連付けて血糖測定装置側時刻付血糖測定データ５７ａとして登録することになる。
具体的には、血糖測定データ登録プログラム５６が動作し、関連付けた時刻付血糖測定データを図３の血糖測定装置側時刻付血糖測定データ格納部５７に、血糖測定装置側時刻付血糖測定データ５７ａとして格納することとなる。
【００２８】
図８は、かかる血糖測定装置側時刻付血糖測定データ５７ａの内容を示す概略図である。
図８に示すように、血糖測定装置側時刻付血糖測定データでは、血糖測定値が、その測定を行った血糖測定時刻と関連付けて登録されている。この血糖測定装置側時刻付血糖測定データが時刻情報を伴う基本情報の一例となる。
このようにして、携帯用血糖測定装置５０では、測定時刻と関連付けられる血糖測定データ、つまり、血糖測定装置側時刻付血糖測定データ５７ａが生成される。
本実施の形態では、例えば、図８に示す４つの測定データを例に説明する。すなわち、測定時刻が２００８年１０月３０日７時３０分で血糖測定値が１００、同年１２月１０日８時３０分で血糖測定値が１５０、同年１２月２０日で、血糖測定値が２００、２０１０年１月１０日で、血糖測定値が１００である。
【００２９】
一方、図３に示す携帯用血糖測定装置５０の時刻修正装置５４を利用者が操作する場合は、図５のＳＴ３のように、時刻修正装置５４が操作されたか否かを判断する。
携帯用血糖測定装置５０は、その利便性のため簡易な構成となっており、高精度な血糖測定装置側時計５３を備えていないため、時刻修正等をする必要が生じる。このため、時刻修正装置５４が装備されている。
ＳＴ３で、時刻修正装置５４の操作が開始されたと判断されると、ＳＴ４で、開始時の表示時刻を変更前時刻データとして、図３の血糖測定装置側時計変更ログ格納部６０に登録される。具体的には、図３の時刻修正装置動作判断プログラム５８が動作して、血糖測定装置側時計５３を参照して、開始時刻を変更前時刻データとして登録する。
図９は、血糖測定装置側時計変更ログデータ６０ａの内容を示す概略図である。図９に示すように、血糖測定装置側時計変更ログデータ６０ａには、変更前時刻を登録する欄があり、この欄に時刻修正装置５４の操作の開始時刻を登録する。
【００３０】
次いでＳＴ５へ進む。ＳＴ５では、時刻修正装置５４の操作が終了したか否かが判断され、終了したと判断されると、ＳＴ６で、終了時の表示時刻を変更後時刻データとして登録する。
具体的には、図３の時刻修正動作判断プログラム５８が動作して、血糖測定装置側時計５３を参照して、終了時刻を変更後時刻データとして、図９の変更後時刻の登録する欄に登録する。
【００３１】
次いで、ＳＴ７へ進み、変更前時刻データと変更後時刻データとの差分データを時刻差分データとして登録する。具体的には、図３の時刻差分データ演算プログラム５９が動作し、血糖測定装置側時計変更ログデータ６０ａの変更前時刻と変更後時刻の差分を演算し、血糖測定装置側時計変更ログデータ６０ａの時刻差分の欄に、その結果を登録する。
【００３２】
この血糖測定装置側時計変更ログデータ６０ａが、時刻変更情報の一例であり、時刻差分データが、時刻変更情報の変更時間情報の一例となっている。
尚、ＳＴ３で、時刻修正装置５４の操作が開始されたと判断されてから、ＳＴ５で、時刻修正装置５４の操作が終了したと判断されるまでの時間を計測する操作時間計測装置（図示せず）を設け、時刻変更操作時間を計測し、前記時刻差分データに加算して血糖測定装置側時計変更ログデータ６０ａとして時刻差分の欄に、その結果を登録してもよい。
これにより、より正確な時刻差分等を把握することができる。
したがって、時刻変更操作時間が、測定装置時計変更情報の一例であり、図９の時刻差分の欄が、時計差分部の一例である。
このようにして、携帯用血糖測定装置５０は、血糖測定装置側時計変更ログデータ６０ａを生成し、登録するので、時刻修正装置５４の動作は、変更時間及びその変更を行った時刻と共に登録されることとなる。
本実施の形態では、例えば、図９に示すように、２回、時刻修正装置５４が操作され、時刻が変更された例で説明する。すなわち、変更前時刻２００８年１１月１日１０時００分、変更後時刻、同年１２月１日１０時００分で時刻差分が＋１ヶ月の場合と、変更前時刻、２００９年１月５日１０時００分、変更後時刻、２０１０年１月５日１０時００分で時刻差分が＋１年の場合である。
【００３３】
次に、図１の情報管理装置１０の動作等について説明する。
先ず、図６に示すように、情報管理装置１０は、携帯用血糖測定装置５０とデータ通信モードとなった否かを判断する。これは、例えば、図１に示すように、情報管理装置１０と携帯用血糖測定装置５０がケーブル２等で接続された否かであり、具体的には、図４のデータ送信モード判断部２１が、情報管理装置側通信装置１８の通信状態等を判断する。
ＳＴ１１で、データ送信モードとなった。すなわち、ケーブル２が接続され、両者間で通信が可能な状態となったときは、ＳＴ１２に進む。ＳＴ１２では、血糖測定装置側時刻付血糖測定データ５７ａと血糖測定装置側時計変更ログデータ６０ａが情報管理装置１０へ送信され、情報管理装置１０が受信する。
具体的には、携帯用血糖測定装置５０の血糖測定装置側通信装置５５、情報管理装置１０の情報管理装置側通信装置１８及びケーブル２等により送受信される。これらが対象装置情報取得部の一例となる。
【００３４】
次いで、ＳＴ１３で、受信した血糖測定装置側時刻付血糖測定データ５７ａと血糖測定装置側時計変更ログデータ６０ａを、情報管理装置１０にそれぞれ登録する。具体的には、血糖測定装置側時刻付血糖測定データ５７ａが、基本情報格納部である例えば、図４の情報管理装置側時刻付血糖測定データ格納部２２に、情報管理装置側時刻付血糖値測定データ２２ａとして登録される。
図１０は、この情報管理装置側時刻付血糖値測定データ２２ａの一例を示す概略図である。図１０に示すように、血糖測定装置側時刻付血糖測定データ５７ａは、測定時刻及び測定値の欄にそれぞれ登録される。
【００３５】
また、血糖測定装置側時計変更ログデータ６０ａは、時刻変更情報格納部である例えば、図４の情報管理装置側時計変更ログ格納部２３に、情報管理装置側時計変更ログデータ２３ａとして登録される。
図１１は、この情報管理装置側時計変更ログデータ２３ａの一例を示す概略図であり、図１１に示すように、血糖測定装置側時計変更ログデータ２３ａは、変更前時刻、変更後時刻及び時刻差分の欄に登録される。
【００３６】
次いで、ＳＴ１４では、情報管理装置１０が、血糖測定装置側時計５３の現在時刻データを取得し、情報管理装置側時計１９の現在時刻データとの差分を現在差分時間データとして、登録すると共に、情報管理装置側時計１９の現在時刻等も登録する。
具体的には、情報管理装置１０は、図４の情報管理装置側通信装置１８、図３の血糖測定装置側通信装置５５及びケーブル２等を介して、血糖測定装置側時計５３の現在時刻データを取得し、図４の血糖測定装置側時計の現在時刻データ格納部２４に登録する。
また、同時に、情報管理装置側時計１９の現在時刻を、図４の情報管理装置側時計の現在時刻データ格納部２５に登録する。
そして、現在差分時間データ生成プログラム２６が動作し、情報管理装置側時計の現在時刻データ格納部２５の情報管理装置側時計の現在時刻データと、血糖測定装置側時計の現在時刻データ格納部２４の血糖測定装置側時計の現在時刻データとの差である現在差分データを算出し、図４の現在差分データ格納部２７に登録する。
本実施の形態では、この現在差分データを例えば、１年１ヶ月１時間として説明する。また、この現在差分時間データ生成プログラム２６が基準時刻差分情報生成部の一例であり、現在差分データが、基準時刻差分情報の一例である。
【００３７】
以上で、情報管理装置１０は、携帯用血糖測定装置５０からの必要な情報等の取得が終了する。しかし、このように取得された図１０の測定時刻のデータは、利用者の携帯用血糖測定装置５０の時刻修正装置５４を誤って操作等したことで、誤った時刻となっている可能性がある。これでは、医師等が誤った診断等を行うおそれがある。
このため、情報管理装置１０は、以下の工程等を経て、その誤りを修正することになる。
【００３８】
以下、この修正を具体例で説明するが、その前に、例を説明する。
図１２は、この時刻の修正の具体例の説明図である。
図１２に示すように、先ず、利用者は、２００８年１０月３０日、７時３０分に血糖値を測定した。この例は、図１０の情報管理装置側時刻付血糖測定データ２２ａの最上段の例と同じである。ただ、このとき、図１１に示すように、血糖測定装置側時計５３の時刻は１時間進んでいたとする（利用者が時刻修正装置５４を操作しない状態で進んでいる。）。
【００３９】
次に、利用者は、図１１の上段のように、血糖測定装置側時計５３の時刻である、２００８年１１月１日、１０時に時刻修正装置５４を誤って操作し、１ヶ月進めてしまった。そのため、変更後の血糖測定装置側時計５３は、２００８年１２月１日、１０時を表示している（図１２の上から２つ目の例）。この段階では、血糖測定装置側時計５３の表示は、１ヶ月１時間進んでいることになる。
次に、利用者は、２００８年１２月１０日、８時３０分と２００８年１２月２０日、８時に携帯用血糖測定装置５０を使用して血糖値の測定を行った（図１０の測定時刻、上から２段目及び３段目）。これらの段階では、図１２に示すように、血糖測定装置側時計５３の表示は、１ヶ月１時間進んでいる。
【００４０】
次に、利用者は、図１１の下段のように、２００９年１月５日、１０時に時刻修正装置５４を誤って操作し、＋１年進めてしまった。そのため、変更後の血糖測定装置側時計５３は、２０１０年１月６日、１０時を表示している（図１２の下から２つ目の例）。この段階では、血糖測定装置側時計５３の表示は、１年１ヶ月１時間進んでいることになる。
さらに、利用者は、２０１０年１月１０日、７時３０分に血糖値の測定を行った（図１０の最下段の例、図１２の最下段の例）。この段階では、血糖測定装置側時計５３の表示は、1年１ヶ月１時間進んでいることになる。
【００４１】
かかる例で説明しつつ、以下、その時刻修正の工程を説明する。
先ず、図６のＳＴ１５及びＳＴ１６を実行する。
ＳＴ１５及びＳＴ１６では、情報管理装置１０のずれ幅警告値データと情報管理装置側時計変更ログデータ２３ａの時刻差分の欄のデータを比較する。
具体的には、図４のずれ幅警告値データ格納部２８のずれ幅警告値データである例えば、１日と、図１１の情報管理装置側時計変更ログデータ２３ａの時刻差分のデータ、＋１ヶ月と、＋１年とを比較し、これら時計差分のデータがずれ幅警告値データ以上か否かを判断する。
すなわち、本実施の形態では、時刻修正装置５４が通常の時刻修正のために操作されたのではなく、且つ、その操作が医師等による血糖値データの診断等に誤り等を招きかねない大きな「ずれ」が生じている場合として例えば、１日とした。
【００４２】
したがって、ずれ幅警告値データが、変更内容判断情報の一例であり、ずれ幅警告値データ格納部２８が変更内容判断情報格納部の一例である。また、ずれ幅警告値比較プログラム２９が、修正必要性判断部の一例である。
【００４３】
ＳＴ１６で、ずれ幅警告値以上の時刻差分がある情報管理装置側時計変更ログデータ２３ａがある場合、ＳＴ１７で、当該時刻差分の存する情報管理装置側時計変更ログデータ２３ａに処理フラッグを付す。
具体的には、図１１の情報管理装置側時計変更ログデータ２３ａの処理フラッグの欄に当該フラッグを付すことになる。
図１１の例では、２つのデータは共にずれ幅警告値以上の時刻差分があるため、いずれの処理フラッグの欄にもフラッグが付されることになる。
【００４４】
次いで、ＳＴ１８で、処理フラッグが付いている情報管理装置側時計変更ログデータ２３ａの変更後時刻データと、情報管理装置側時計１９の現在時刻データ格納部２３内の情報管理装置側時計の現在時刻データとを比較し、直近の情報管理装置側時計変更ログデータ２３ａを選択し、当該直近の情報管理装置側時計変更ログデータ２３ａに直近フラッグを付ける。
具体的には、図１１の２つの情報管理装置側時計変更ログデータ２３ａには、いずれにも処理フラッグが付されている。そして、図１１の下段のデータの変更後時刻が、２０１０年１月５日、１０時で、直近の情報管理装置側時計変更ログデータ２３ａとなる。
そこで、図１１の下段の情報管理装置側時計変更ログデータ２３ａの直近フラッグの欄に直近フラッグが付される。
これらは、図４の直近時刻差分データ選択部３０が動作することで実行される。また、変更後時刻が、変更実施時刻情報の一例となっており、情報管理装置側時計の現在時刻データが、対応特定時刻情報の一例となっている。
【００４５】
次に、ＳＴ１９へ進む。ＳＴ１９では、情報管理装置側時計の現在時刻データと直近フラッグが付いている情報管理装置側時計変更ログデータ２３ａの変更後時刻データ間の時刻付血糖測定データ２２ａの測定時刻を検索し、該当する情報管理装置側時計付血糖測定データに調整フラッグを付ける。
具体的には、図４に示す変更用測定日時検索プログラム３１が動作し、現在時刻データと直近フラッグが付いている、例えば図１１の下段のデータの変更後時刻２０１０年１月５日、１０時との間に存する図１０の情報管理装置側時刻付血糖測定データ２２ａを検索する。すると、２０１０年１月５日、１０時と現在までの間のデータは、図１０の最下段の測定時刻が２０１０年１月１０日、７時３０分のデータのみとなる。
そこで、この最下段の情報管理装置側時刻付血糖測定データ２２ａの調整フラッグの欄に調整フラッグを付する。
【００４６】
次に、ＳＴ２０に進む。ＳＴ２０では、調整フラッグが付された情報管理装置側時刻付血糖測定データ２２ａの測定時刻が、現在差分データ格納部２７内の現在差分データで調整され、調整済み測定時刻データとして、情報管理装置側時刻付血糖測定データ２２ａに登録される。
具体的には、図４の情報管理装置側時刻付血糖測定データ測定時刻変更プログラム３２が動作し、調整フラッグが付されている、図１０の情報管理装置側時刻付血糖測定データ２２ａの測定時刻、例えば２０１０年１月１０日、７時３０分を、図４の現在差分データである、例えば１年１ヶ月１時間で調整し、この調整済み測定時刻データが、図１０の調整後測定時刻、例えば、２００９年１２月１０日、６時３０分として登録する。このようにして、この測定時刻データは、修正させる。
また、情報管理装置側時刻付血糖値測定データ２２ａの測定時刻が、基本情報の時刻情報の一例であり、情報管理装置側時刻付血糖測定データ測定時刻変更プログラム３２が、時刻修正部の一例となっている。
【００４７】
次に、ＳＴ２１へ進む。ＳＴ２１では、直近フラッグが付いていないが、処理フラッグ付きの情報管理装置側時計変更ログデータ２３ａがあるか否かを判断する。
すなわち、ずれ幅警告値以上の時刻差分があり、未だ時刻修正の基準となっていない時計変更ログデータを検索する。具体的には、図４の処理待ち時刻差分データ選択プログラム３３が動作して実行する。
図１１の例では、情報管理装置側時計変更ログデータ２３ａの上段のデータが該当することになる。
【００４８】
ＳＴ２１で、直近フラッグが付いていないが、処理フラッグ付きの情報管理装置側時計変更ログデータ２３ａがあると判断された場合、ＳＴ２２へ進む。
ＳＴ２２では、直近フラッグが付いていない処理フラッグ付きの情報管理装置側時計変更ログデータ２３ａの変更後時刻データと前回直近フラッグ付きとして処理した情報管理装置側時計変更ログデータ２３ａの変更後時刻データとを比較し、前回の情報管理装置側時計変更ログデータ２３ａに最も近接した情報管理装置側時計変更ログデータ２３ａを選択し、直近フラッグを付ける。
具体的には、図４の直近時刻差分データ選択プログラム３０が動作し、図１２の情報管理装置側時計変更ログデータ２３ａで、処置フラッグは付いているが、未だ直近フラッグが付いていない情報管理装置側時計変更ログデータ２３ａを検索する。そして、該当する情報管理装置側時計変更ログデータ２３ａの変更後時刻と、既に処理した直近フラッグが付きの情報管理装置側時計変更ログデータ２３ａの変更後時刻を比較して、最も既に処理したデータに近接した未だ直近フラッグが付いていない情報管理装置側時計変更ログデータ２３ａを選択し、当該データの直近フラッグの欄にフラッグを付ける。
上記の例では、図１１の情報管理装置側時計変更ログデータ２３ａの上段のデータが該当する。
【００４９】
次に、ＳＴ２３に進む。ＳＴ２３では、前回直近フラッグ付きで処理した時計変更ログの変更後時刻データと、ＳＴ２２で直近フラッグを付けた情報管理装置側時計変更ログデータ２３ａの変更後時刻データまでの間に該当する情報管理装置側時刻付血糖測定データ２２ａの測定時刻を検索し、該当する情報管理装置側時刻付血糖測定データ２２ａの調整フラッグ欄にフラッグを付ける。
具体的には、図４の変更用測定時刻検索プログラム３１が動作し、上記の例で前回直近フラッグ付きで処理した時計変更ログの変更後時刻データである、図１１の下段のデータ、２０１０年１月５日、１０時と、ＳＴ２２で直近フラッグを付けた情報管理装置側時計変更ログデータ２３ａの変更後時刻データ、図１１の上段のデータ、２００８年１２月１日、１０時との間に該当する図１０の情報管理装置側時刻付血糖測定データ２２ａの測定時刻を検索する。
すると、図１０の上から２段目と３段目のデータ、２００８年１２月１０日、８時３０分と２００８年１２月２０日、８時の測定時刻が該当する。このため、この２つの情報管理装置側時刻付血糖測定データ２２ａの調整フラッグの欄にフラッグを付ける。
【００５０】
次いで、ＳＴ２４へ進む。ＳＴ２４では、図４の現在差分データ（例えば、１年１ヶ月１時間）と前回直近フラッグ付きとして処理した情報管理装置側時計変更ログデータ２３ａの時刻差分データ（例えば、図１１の下段の＋１年）から調整用時間を演算して登録する。
具体的には、図４の調整用時間データ演算プログラム３５が動作して、上記の例の現在差分データ（例えば、１年１ヶ月１時間）から前回直近フラッグ付きとして処理した情報管理装置側時計変更ログデータ２３ａの時刻差分データ（例えば、図１１の下段の＋１年）を差し引き、例えば、１ヶ月１時間を調整用時間として、図４の調整用時間データ格納部３６に登録する。
これにより、時刻修正を行う対象である測定時刻が受けている時刻修正装置による誤った修正の影響をより精度良く直すことが可能となる。
【００５１】
次に、ＳＴ２５へ進む。ＳＴ２５では、調整フラッグが付され、調整後測定時刻データが未入力の情報管理装置側時刻付血糖測定データ２２ａの測定時刻データを図４の調整用時間データで調整し、調整済み測定時刻データが図１０の情報管理装置側時刻付血糖測定データ２２ａの調整後測定時刻の欄に登録される。
具体的には、図４の情報管理装置側時刻付血糖測定データ測定時刻変更プログラム３２が動作し、調整フラッグが付され、調整後測定時刻データが未入力の情報管理装置側時刻付血糖測定データ２２ａの測定時刻データ（例えば、図１０の上から２段目及び３段目のデータ）を、図４の調整用時間データ（例えば、１ヶ月１時間）調整し、それぞれ、２００８年１１月１０日、７時３０分、２００８年１１月２０日、７時という調整済み測定時刻データとして、調整後測定時刻の欄に登録される。
【００５２】
次に、ＳＴ２１に戻り、直近フラッグが付いていないが、処理フラッグ付きの時計変更ログデータがあるか否かを判断し、存在すれば、Ｓ２２以下の工程を実行する。
具体的には、図４の直近フラッグなし処理フラッグ付き時計変更ログデータ存否確認プログラム３８が動作して処理する。
一方、ＳＴ２１で、直近フラッグが付いていないが、処理フラッグ付きの時計変更ログデータが存在しなければ、これは、ずれ幅警告値以上の時刻差分を有する情報管理装置側時計変更ログデータ２３ａで未処理のデータが存在しないことを示すこととなる。
このため、ＳＴ２６に進む。ＳＴ２６では、現在差分時間と直近フラッグ付きとして処理した時刻変更ログの時刻差データから調整用時間データが調整され、調整済み測定データ格納部３６に登録される。
具体的には、図４の調整用時間データ演算プログラム３５が、動作し、図４の現在差分データ（例えば、１年１ヶ月１時間）と直近フラッグ付きとして処理した情報管理装置側時計変更ログ２３ａの時刻差分データ（例えば、１ヶ月及び１年）を基に、調整用時間データ（例えば、１年１ヶ月１時間から、１ヶ月と１年を差し引くことで、１時間となる）を求め、この調整用時間データ（例えば、１時間）が図４の調整用時間データ格納部３６に登録される。
【００５３】
次いで、ＳＴ２７に進む。ＳＴ２７では、図１０の調整後測定時刻データの欄が、未入力の全ての情報管理装置側時刻付血糖測定データ２２ａの測定時刻が、調整用時間データで調整され、調整済み測定時刻データとして登録される。
具体的には、情報管理装置側時刻付血糖測定データ測定時刻変更プログラム３２が動作し、調整後測定時刻データの欄が未入力の全ての情報管理装置側時刻付血糖測定データ２２ａの測定時刻（例えば、図１０の例では、上段の「２００８年１０月３０日、７時３０分」）が、調整用時間データ（例えば、１時間）で調整される。
図１０の上段の「２００８年１０月３０日、７時３０分」は、「１時間」引かれて、「２００８年１０月３０日、６時３０分」として、図１０の調整後測定時刻の欄に登録される。
このように、図１１のずれ幅警告値データ（例えば、１日）以上の情報管理装置側変更ログデータ２３ａのうち、最も古い情報管理装置側時計変更ログデータ２３ａ以前の情報管理装置側時刻付血糖測定装置データ２２ａの測定時刻も精度良く修正されることになる。
【００５４】
図１３は、図１２に示す時刻修正過誤の例を、本実施の形態を用いて修正した状態を示す説明図である。図１３（ａ）は、修正前の測定時刻データのイメージであり、（ｂ）は修正後の測定時刻データのイメージである。
両者を比較して分かるように、（ａ）で、それぞれ１時間、１ヶ月１時間、１年１ヶ月１時間と時刻に誤差があった場合でも、本実施の形態を用いれば、（ｂ）に示すように、その誤差（ずれ）を精度良く調整することができることが分かる。
【００５５】
一方、図６のＳＴ１６で、ずれ幅警告値以上の時刻差分データが情報管理装置側時計変更ログデータ２３ａに存在しない場合、ＳＴ２８に進み、全ての情報管理装置側時刻付血糖値測定データ２２ａが調整され、調整済み測定時刻データが、情報管理装置側時刻付血糖測定データ２２ａが登録される。
具体的には、図４の情報管理装置側時刻付血糖値測定データ測定時刻変更プログラム３２により、図１０の全ての測定時刻のデータが、図４の現在差分データにより調整され、情報管理装置側時刻付血糖値測定データ調整後測定時刻の欄に登録される。
【００５６】
これにより、すべての測定時刻のデータが、現在差分データによって一括して修正されるので、極めて効率良く時刻修正をすることが可能となる。
【００５７】
次いで、ＳＴ２９で、情報管理装置側時計変更ログデータ２３ａに処理フラッグが付いているか否かを判断し、ＳＴ３０で、処理フラッグが付いている情報処理装置側時計変更ログデータ２３ａの変更前時刻及び変更後時刻を、情報管理装置側ディスプレイ１２に表示する。具体的には、図４に処理フラッグ存否確認表示プログラム４２が動作して実行する。
【００５８】
次いで、ＳＴ３１で、情報管理装置側時刻付血糖値測定データ２２ａの調整後測定時刻が登録されているか否かを判断し、ＳＴ３２で、調整後測定時刻が登録されている場合は、測定時刻のデータと調整後測定時刻データを情報管理装置側ディスプレイ１２に表示する。具体的には、図４の調整後測定時刻データ存否確認表示プログラム４３が動作して実行する。
これらの表示を情報管理装置側ディスプレイ１２を介して見ることで、携帯用血糖測定装置１０の利用者は、自己が何時、時刻修正装置５４を誤って操作したかが分かり、事後の操作方法に指導等を受けるよう促すことができる。
【００５９】
以上のように、本実施の形態によれば、携帯用血糖測定装置５０の測定時刻に生じた誤差（ずれ）のうち、医師等の診断等に影響を与える誤差をずれ幅警告値データ等に基づいて抽出し、そのずれ幅を修正すると共に、携帯用血糖測定装置５０と情報管理措置１０との現在時刻における現在差分データに基づいて、正しい現在時刻との比較で、測定時刻を修正するものである。このため、血糖測定データの測定時刻として必要十分な精度が担保されると共に、不必要な過度の精度を求めるための過度の工程が不要となり、コストの不必要な  上昇を抑えることができることになる。
また、測定時刻データは、人手によらず自動的に修正されるので、情報管理装置側時刻付血糖値測定データ２２ａの信頼性が向上することになる。
また、本実施の形態の時刻修正を携帯用血糖測定装置５０に対して行うものでないため、同装置５０に操作に影響を及ぼすことなく、時刻修正をすることができる。
さらに、その時刻修正等の存在を情報管理装置側ディスプレイ１２等を介して、携帯用血糖測定装置５０の利用者に通知することができるので、事後の操作方法の指導等を促すこともできる。
【００６０】
本発明は、上述の各実施の形態に限定されない。
【符号の説明】
【００６１】
１・・・生体情報管理システム、２・・・ケーブル、１０・・・情報管理装置、１１・・・情報管理装置側ディスプレイ、１３・・・ＣＰＵ、１４・・・ＲＡＭ、１５・・ＲＯＭ、１６・・・ハードディスク、１７・・・バス、１８・・・情報管理装置側通信装置、１９・・・情報管理装置側時計、２０・・・情報管理装置側制御部、２１・・・データ送信モード判断部、２２・・・情報管理装置側時刻付血糖測定データ格納部、２３・・・情報管理装置側時計変更ログ格納部、２４・・・血糖測定装置側時計の現在時刻データ格納部、２５・・・情報管理装置側時計の現在時刻データ格納部、２６・・・現在差分時間データ生成プログラム、２７・・・現在差分データ格納部、２８・・・ずれ幅警告値データ格納部、２９・・・ずれ幅警告値比較プログラム、３０・・・直近時刻差分データ選択部、３１・・・変更用測定日時検索プログラム、３２・・・情報管理装置側時刻付血糖測定データ測定時刻変更プログラム、３３・・・処理待ち時刻差分データ選択プログラム、３５・・・調整用時間データ演算プログラム、３６・・・調整用時間データ格納部、３８・・・直近フラッグなし処理フラッグ付き時計変更ログデータ存否確認プログラム、４２・・・処理フラッグ存否確認表示プログラム、４３・・・調整後測定時刻データ存否確認表示プログラム、５０・・・携帯用血糖測定装置、５１・・・血糖測定装置側ディスプレイ、５２・・・血糖測定装置本体、５３・・・血糖測定装置側時計、５４・・・時刻修正装置、５５・・・血糖測定装置側通信装置、５６・・・血糖測定データ登録プログラム、５７・・・血糖測定装置側時刻付血糖測定データ格納部、５８・・・時刻修正装置動作判断プログラム、５９・・・時刻差分データ演算プログラム、６０・・・血糖測定装置側時計変更ログ格納部
【図１】
2010233696.tif 000003
【図２】
2010233696.tif 000004
【図３】
2010233696.tif 000005
【図４】
2010233696.tif 000006
【図５】
2010233696.tif 000007
【図６】
2010233696.tif 000008
【図７】
2010233696.tif 000009
【図８】
2010233696.tif 000010
【図９】
2010233696.tif 000011
【図１０】
2010233696.tif 000012
【図１１】
2010233696.tif 000013
【図１２】
2010233696.tif 000014
【図１３】
2010233696.tif 000015